(57)【要約】【課題】  階層伝送により同一内容の番組が弱階層と強階層で放送されている場合において、放送電波の受信状態に応じて、弱階層と強階層を適切なタイミングで切り替えるデジタル放送受信装置を提供する。【解決手段】  伝送路復調部３は、放送電波の受信状態を示す信号品質情報Ａを制御部１０に供給する。また、同期部７は、弱階層番組信号と強階層番組信号とのタイムラグを検出し、同期を取ると共に、タイムラグに関する同期情報Ｂを制御部１０に供給する。制御部１０は、信号品質情報Ａと同期情報Ｂに基づき、切替信号Ｃで切替部８を制御する。【選択図】  図１
2008166933.tif 000002
【特許請求の範囲】
【請求項１】
階層伝送により同一内容の番組が、ノイズ耐性に弱い弱階層と、ノイズ耐性に強い強階層とで放送されているデジタル放送信号を受信するデジタル放送受信装置であって、
デジタル放送信号を受信し、所望のチャンネルのデジタル放送信号を選局する選局手段と、
前記選局手段で選局された前記所望のチャンネルのデジタル放送信号を復調処理し、かつ、前記所望のチャンネルのデジタル放送信号の信号品質に関する信号品質情報を検出する伝送路復調手段と、
前記伝送路復調手段で復調処理された前記所望のチャンネルのデジタル放送信号を、弱階層のデジタルデータ信号と、強階層のデジタルデータ信号とに分離する多重分離手段と、
前記多重分離手段で分離された前記弱階層のデジタルデータ信号を、弱階層の番組信号に復号する弱階層デコード手段と、
前記多重分離手段で分離された前記強階層のデジタルデータ信号を、強階層の番組信号に復号する強階層デコード手段と、
前記弱階層の番組信号と前記強階層の番組信号との再生時刻を一致させ、かつ、前記弱階層の番組信号と前記強階層の番組信号とのタイムラグに関する同期情報を出力する同期手段と、
再生時刻が一致された前記弱階層の番組信号と前記強階層の番組信号のうちいずれか一方の番組信号を選択し、出力端子に供給する選択手段と、
前記伝送路復調手段で検出された前記信号品質情報と、前記同期手段から供給された前記同期情報とに基づき、前記選択手段で選択すべき階層を制御する切替制御手段と
を備えることを特徴とするデジタル放送受信装置。
【請求項２】
請求項１に記載のデジタル放送受信装置において、
前記切替制御手段は、
前記伝送路復調手段で検出された前記信号品質情報に基づいて選択すべき階層を判定し、判定結果に応じた切替信号を出力する切替判定手段と、
前記同期手段から供給された前記同期情報に基づき、前記切替判定手段から供給された前記切替信号を所定の時間だけ遅延させてから前記選択手段に供給する遅延手段と
を備えることを特徴とするデジタル放送受信装置。
【請求項３】
階層伝送により同一内容の番組がノイズ耐性に弱い弱階層とノイズ耐性に強い強階層で放送されているデジタル放送信号を受信するデジタル放送受信装置であって、
デジタル放送信号を受信し、所望のチャンネルのデジタル放送信号を選局する選局手段と、
前記選局手段で選局された前記所望のチャンネルのデジタル放送信号を復調処理し、かつ、前記所望のチャンネルのデジタル放送信号の信号品質に関する信号品質情報を検出する伝送路復調手段と、
前記伝送路復調手段で復調処理された前記所望のチャンネルのデジタル放送信号を弱階層のデジタルデータ信号と強階層のデジタルデータ信号に分離する多重分離手段と、
前記多重分離手段で分離された前記弱階層のデジタルデータ信号を弱階層の番組信号に復号する弱階層デコード手段と、
前記多重分離手段で分離された前記強階層のデジタルデータ信号を強階層の番組信号に復号する強階層デコード手段と、
前記弱階層の番組信号と前記強階層の番組信号との再生時刻を一致させ、かつ、前記弱階層の番組信号と前記強階層の番組信号とのタイムラグに関する同期情報を出力する同期手段と、
前記同期手段から出力された弱階層の番組信号を弱階層の映像信号と音声信号に分離する第１のＡＶ分離手段と、
前記同期手段から出力された強階層の番組信号を強階層の映像信号と音声信号に分離する第２のＡＶ分離手段と、
前記弱階層の映像信号と前記強階層の映像信号とのうち、いずれか一方の映像信号を選択し、映像出力端子に供給する第１の選択手段と、
前記弱階層の音声信号と前記強階層の音声信号とのうち、いずれか一方の音声信号を選択し、音声出力端子に供給する第２の選択手段と、
前記伝送路復調手段で検出された前記信号品質情報と、前記同期手段から供給された前記同期情報とに基づき、前記第１、第２の選択手段で選択すべき階層を制御する切替制御手段と、
を備えることを特徴とするデジタル放送受信装置。
【請求項４】
請求項３に記載のデジタル放送受信装置において、
前記切替制御手段は、
前記伝送路復調手段で検出された前記信号品質情報に基づいて映像信号の選択すべき階層を判定し、判定結果に応じた第１の切替信号を出力する第１の切替判定手段と、
前記伝送路復調手段で検出された前記信号品質情報に基づいて音声信号の選択すべき階層を判定し、判定結果に応じた第２の切替信号を出力する第２の切替判定手段と、
前記同期手段から供給された前記同期情報に基づき、前記第１の切替判定手段から供給された前記第１の切替信号を所定の時間だけ遅延させてから前記第１の選択手段に供給する第１の遅延手段と、
前記同期手段から供給された前記同期情報に基づき、前記第２の切替判定手段から供給された前記第２の切替信号を所定の時間だけ遅延させてから前記第２の選択手段に供給する第２の遅延手段と
を備えることを特徴とするデジタル放送受信装置。
【請求項５】
請求項１乃至４に記載のデジタル放送受信装置において、
前記同期手段で検出される同期情報は、
前記同期手段に供給された前記弱階層の番組信号と前記強階層の番組信号のうち、再生時刻が遅れている番組信号、または再生時刻が進んでいる番組信号の少なくともどちらか一方が判断できる情報と、
前記強階層の番組信号の再生時刻が遅れている場合は、前記弱階層の番組信号に対する前記強階層の番組信号の遅延時間を示す情報と
を少なくとも含んでいることを特徴とするデジタル放送受信装置。
【請求項６】
請求項１乃至４に記載のデジタル放送受信装置において、
前記遅延手段は、
前記同期手段に供給された前記弱階層の番組信号よりも、前記同期手段に供給された前記強階層の番組信号の再生時刻が遅れている場合は、前記強階層の番組信号の遅延時間だけ前記切替判定手段から供給された前記切替信号を遅延させ、
前記同期手段に供給された前記強階層の番組信号よりも、前記同期手段に供給された前記弱階層の番組信号の再生時刻が遅れている場合は、前記切替判定手段から供給された前記切替信号を遅延させないことを特徴とするデジタル放送受信装置。
【発明の詳細な説明】
【技術分野】
【０００１】
本発明は、デジタル放送受信装置に関し、特に、階層伝送により同一内容の番組が弱階層と強階層で放送されているデジタル放送を受信するデジタル放送受信装置に関する。
【背景技術】
【０００２】
日本の地上デジタル放送は、伝送方式としてＩＳＤＢ−Ｔ（Integrated Services Digital Broadcasting for Terrestrial）方式を採用している（非特許文献１参照）。ＩＳＤＢ−Ｔ方式では、１チャンネルの伝送帯域を１３個のセグメントに分割し、それぞれのセグメントを単位として伝送パラメータを変更することが可能であり、最大３階層までの階層伝送を行うことができる。現在、この階層伝送を利用して、固定受信端末向け放送（以下、弱階層という）と携帯受信端末向け放送（以下、強階層という）が行われており、弱階層と強階層は、同一内容の番組を放送するサイマル（同時）放送である。ここで、弱階層は、伝送容量が大きく高品質（高画質、高音質）であるが、ノイズ耐性に比較的弱く、一方、強階層は、伝送容量が小さく低品質（低画質、低音質）であるが、ノイズ耐性に比較的強いという特徴がある。
【０００３】
ところで、地上デジタル放送を自動車などの移動体で受信する場合、走行環境の変化によって放送電波の受信電界強度は時々刻々と変化する。このため、階層伝送に対応した従来技術になるデジタル放送受信装置では、例えば、デジタル変調された信号を復調する際のエラーレートやＳ／Ｎ比などを監視し、受信状態が良好な時には高品質な弱階層を受信し、受信状態が悪化した時にはノイズ耐性に比較的強い強階層に切り替えて受信することが既に知られている（特許文献１参照）。
【０００４】
また、放送局の送信設備では、弱階層と強階層のエンコード処理において、両者に数秒間のタイムラグが発生し、これにより、受信装置において、階層切り替え時に映像、音声が不連続となる場合がある。かかる問題点に対処した従来の受信装置では、弱階層の番組信号と強階層の番組信号とのタイムラグを検出し、再生時刻の進んでいる番組信号を遅延させて再生時刻の遅れている番組信号と同期を取ることで、スムーズな階層切り替えを実現している。具体的には、弱階層の番組信号と強階層の番組信号との同期を取るために、例えば、ＰＣＲ（Program Clock Reference）を用いて同期を取る仕組みを強階層のデコーダに加えておき、この機能を用いて、予めデコードした強階層フレーム及び弱階層フレーム双方が保持するタイムスタンプのうち、現在表示しているフレームから最も近傍にあるフレームを選択して切り替え表示を行うことにより、切り替え表示時のタイムラグを抑える方法が提案されている（非特許文献２参照）。
【０００５】
【特許文献１】特開２００５−２２３５４９号公報
【非特許文献１】「地上デジタルテレビジョン放送の伝送方式  ＡＲＩＢ  ＳＴＤ−Ｂ３１  １．６版」，社団法人電波産業会，平成１７年１１月３０日策定
【非特許文献２】友部，他４名：「階層伝送方式を応用した１２セグ１セグ切替端末向けＨ．２６４デコーダの開発」，映像情報メディア学会年次大会，５−３，Ａｕｇ．２００５
【発明の開示】
【発明が解決しようとする課題】
【０００６】
上記構成から成る従来技術になるデジタル放送受信装置によれば、階層切り替え手段により、放送電波の受信状態に応じて弱階層と強階層を切り替えて受信することができ、かつ、弱階層と強階層のタイムラグを抑えるための同期手段により、階層切り替え時に映像や音声が不連続とならないデジタル放送受信装置を提供することができる。
【０００７】
しかしながら、上記構成から成るデジタル放送受信装置では、階層切り替え手段と同期手段は独立に処理されるため、階層切り替えのタイミングが不適切となる課題を有している。例えば、弱階層の番組信号よりも強階層の番組信号の再生時刻がτ秒間遅れている場合、放送電波の受信状態が悪化して階層切り替え手段により受信階層が弱階層から強階層への切り替えが発生すると、この時点において同期手段で遅延されているτ秒間分の復号エラーのない弱階層の番組信号は出力されないため、強階層への切り替えの発生がτ秒間早すぎることになる。また、放送電波の受信状態が好転し、階層切り替え手段により受信階層が強階層から弱階層への切り替えが発生すると、この時点において同期手段で遅延されているτ秒間分の復号エラーを含む弱階層の番組信号が出力されてしまうため、弱階層への切り替えの発生がτ秒間早過ぎることになる。
【０００８】
本発明は、上記問題点を解決するためになされたもので、階層伝送により同一内容の番組が弱階層と強階層で放送されている場合において、放送電波の受信状態に応じて、適切なタイミングで弱階層と強階層を切り替えるデジタル放送受信装置を提供することにある。
【課題を解決するための手段】
【０００９】
上記目的を達成するために、本発明によれば、階層伝送により同一内容の番組が、ノイズ耐性に弱い弱階層と、ノイズ耐性に強い強階層とで放送されているデジタル放送信号を受信するデジタル放送受信装置であって、デジタル放送信号を受信し、所望のチャンネルのデジタル放送信号を選局する選局手段と、前記選局手段で選局された前記所望のチャンネルのデジタル放送信号を復調処理し、かつ、前記所望のチャンネルのデジタル放送信号の信号品質に関する信号品質情報を検出する伝送路復調手段と、前記伝送路復調手段で復調処理された前記所望のチャンネルのデジタル放送信号を、弱階層のデジタルデータ信号と、強階層のデジタルデータ信号とに分離する多重分離手段と、前記多重分離手段で分離された前記弱階層のデジタルデータ信号を、弱階層の番組信号に復号する弱階層デコード手段と、前記多重分離手段で分離された前記強階層のデジタルデータ信号を、強階層の番組信号に復号する強階層デコード手段と、前記弱階層の番組信号と前記強階層の番組信号との再生時刻を一致させ、かつ、前記弱階層の番組信号と前記強階層の番組信号とのタイムラグに関する同期情報を出力する同期手段と、再生時刻が一致された前記弱階層の番組信号と前記強階層の番組信号のうちいずれか一方の番組信号を選択し、出力端子に供給する選択手段と、前記伝送路復調手段で検出された前記信号品質情報と、前記同期手段から供給された前記同期情報とに基づき、前記選択手段で選択すべき階層を制御する切替制御手段とを備えるデジタル放送受信装置が提供される。
【００１０】
また、本発明によれば、前記切替制御手段は、前記伝送路復調手段で検出された前記信号品質情報に基づいて選択すべき階層を判定し、判定結果に応じた切替信号を出力する切替判定手段と、前記同期手段から供給された前記同期情報に基づき、前記切替判定手段から供給された前記切替信号を所定の時間だけ遅延させてから前記選択手段に供給する遅延手段とを備えることが好ましい。
【００１１】
また、本は罪によれば、階層伝送により同一内容の番組がノイズ耐性に弱い弱階層とノイズ耐性に強い強階層で放送されているデジタル放送信号を受信するデジタル放送受信装置であって、デジタル放送信号を受信し、所望のチャンネルのデジタル放送信号を選局する選局手段と、前記選局手段で選局された前記所望のチャンネルのデジタル放送信号を復調処理し、かつ、前記所望のチャンネルのデジタル放送信号の信号品質に関する信号品質情報を検出する伝送路復調手段と、前記伝送路復調手段で復調処理された前記所望のチャンネルのデジタル放送信号を弱階層のデジタルデータ信号と強階層のデジタルデータ信号に分離する多重分離手段と、前記多重分離手段で分離された前記弱階層のデジタルデータ信号を弱階層の番組信号に復号する弱階層デコード手段と、前記多重分離手段で分離された前記強階層のデジタルデータ信号を強階層の番組信号に復号する強階層デコード手段と、前記弱階層の番組信号と前記強階層の番組信号との再生時刻を一致させ、かつ、前記弱階層の番組信号と前記強階層の番組信号とのタイムラグに関する同期情報を出力する同期手段と、前記同期手段から出力された弱階層の番組信号を弱階層の映像信号と音声信号に分離する第１のＡＶ分離手段と、前記同期手段から出力された強階層の番組信号を強階層の映像信号と音声信号に分離する第２のＡＶ分離手段と、前記弱階層の映像信号と前記強階層の映像信号とのうち、いずれか一方の映像信号を選択し、映像出力端子に供給する第１の選択手段と、前記弱階層の音声信号と前記強階層の音声信号とのうち、いずれか一方の音声信号を選択し、音声出力端子に供給する第２の選択手段と、前記伝送路復調手段で検出された前記信号品質情報と、前記同期手段から供給された前記同期情報とに基づき、前記第１、第２の選択手段で選択すべき階層を制御する切替制御手段とを備えるデジタル放送受信装置が提供される。
【００１２】
また、本発明では、前記切替制御手段は、前記伝送路復調手段で検出された前記信号品質情報に基づいて映像信号の選択すべき階層を判定し、判定結果に応じた第１の切替信号を出力する第１の切替判定手段と、前記伝送路復調手段で検出された前記信号品質情報に基づいて音声信号の選択すべき階層を判定し、判定結果に応じた第２の切替信号を出力する第２の切替判定手段と、前記同期手段から供給された前記同期情報に基づき、前記第１の切替判定手段から供給された前記第１の切替信号を所定の時間だけ遅延させてから前記第１の選択手段に供給する第１の遅延手段と、前記同期手段から供給された前記同期情報に基づき、前記第２の切替判定手段から供給された前記第２の切替信号を所定の時間だけ遅延させてから前記第２の選択手段に供給する第２の遅延手段とを備えることが好ましい。
【００１３】
また、本発明では、前記同期手段で検出される同期情報は、前記同期手段に供給された前記弱階層の番組信号と前記強階層の番組信号のうち、再生時刻が遅れている番組信号、または再生時刻が進んでいる番組信号の少なくともどちらか一方が判断できる情報と、前記強階層の番組信号の再生時刻が遅れている場合は、前記弱階層の番組信号に対する前記強階層の番組信号の遅延時間を示す情報とを少なくとも含んでいることが好ましい。
【００１４】
また、本発明では、前記遅延手段は、前記同期手段に供給された前記弱階層の番組信号よりも、前記同期手段に供給された前記強階層の番組信号の再生時刻が遅れている場合は、前記強階層の番組信号の遅延時間だけ前記切替判定手段から供給された前記切替信号を遅延させ、前記同期手段に供給された前記強階層の番組信号よりも、前記同期手段に供給された前記弱階層の番組信号の再生時刻が遅れている場合は、前記切替判定手段から供給された前記切替信号を遅延させないことが好ましい。
【発明の効果】
【００１５】
以上のように、本発明によれば、階層伝送により同一内容の番組が弱階層と強階層で放送されている場合において、放送電波の受信状態を示す信号品質情報と、弱階層の番組信号と強階層の番組信号とのタイムラグを短縮する同期手段から供給される同期情報とに基づいて階層切り替えを行うことにより、信号品質情報のみに基づいて階層切り替えを行う場合と比較し、より適切なタイミングで階層切り替えを行うことが可能である。
【発明を実施するための最良の形態】
【００１６】
以下、本発明の実施の形態について、添付の図面を参照しながら詳細に説明する。なお、以下に説明する本発明の実施形態では、放送局から送信される放送電波はＩＳＤＢ−Ｔ方式に準拠しており、階層伝送により、１つのチャンネルで弱階層と強階層の２つの番組が放送され、それぞれの階層は同一内容の番組を放送するサイマル放送であるものとして説明する。ここで、弱階層は、伝送容量が大きく高品質（高画質、高音質）であるが、ノイズ耐性に比較的弱く、一方、強階層は、伝送容量が小さく低品質（低画質、低音質）であるが、ノイズ耐性に比較的強いという特徴がある。
【実施例１】
【００１７】
図１は、本発明の実施例１のデジタル放送受信機を示すブロック図であって、図中の参照符号１は、アンテナ部、２は選局部、３は伝送路復調部、４はＴＳ分離部、５は弱階層デコーダ、６は強階層デコーダ、７は同期部、８は切替部、９は出力端子、１０は制御部である。
【００１８】
図１において、アンテナ部１は放送電波を受信し、選局部２に供給する。選局部２は、供給された放送電波から所望のチャンネルのデジタル放送信号を選局し、伝送路復調部３に供給する。伝送路復調部３は、供給された所望のチャンネルのデジタル放送信号を復調処理及び誤り訂正処理し、トランスポートストリーム（Transport Stream、以下、ＴＳという）信号としてＴＳ分離部４に供給し、かつ、所望チャンネルのデジタル放送信号の信号品質に関する情報（以下、信号品質情報という）Ａを検出し、制御部１０に供給する。ここで、信号品質情報Ａは、例えば、搬送波電力対雑音電力比（ＣＮＲ（Carrier to Noise Ratio））、誤り訂正処理でのビットエラーレート、ＡＧＣ制御電圧、変調誤差比（ＭＥＲ（Modulation Error Ratio））などである。以下、信号品質情報Ａが大きい場合は受信状態が良好、信号品質情報Ａが小さい場合は受信状態が悪化しているものとする。
【００１９】
ＴＳ分離部４は、伝送路復調部３から供給されたＴＳ信号を弱階層のＴＳ信号と強階層のＴＳ信号に分離し、弱階層のＴＳ信号は弱階層デコーダ５に、強階層のＴＳ信号は強階層デコーダ６に供給する。弱階層デコーダ５は、供給された弱階層のＴＳ信号を映像、音声信号に復号（以下、弱階層番組信号という）し、同期部７に供給する。また、強階層デコーダ６は、供給された強階層のＴＳ信号を映像、音声信号に復号（以下、強階層番組信号という）し、同期部７に供給する。
【００２０】
同期部７は、供給された弱階層番組信号と強階層番組信号とのタイムラグを検出し、再生時刻が進んでいる番組信号を遅延させて、再生時刻が遅れている番組信号との同期を取り、同期が取れた弱階層番組信号と強階層番組信号を切替部８に供給する。また、同期部７は、弱階層番組信号と強階層番組信号とのタイムラグに関する情報（以下、同期情報という）Ｂを制御部１０に供給する。ここで、同期情報Ｂには、弱階層番組信号と強階層番組信号のうち、再生時刻が遅れている番組信号、または再生時刻が進んでいる番組信号の少なくともどちらか一方が判断できる情報と、強階層番組信号の再生時刻が遅れている場合は、弱階層番組信号に対する強階層番組信号の遅延時間を示す情報とが少なくとも含まれている。
【００２１】
切替部８は、同期部７から供給された同期の取れた弱階層番組信号と強階層番組信号のうち、いずれか一方の番組信号を選択し、出力端子９から出力する。制御部１０は、伝送路復調部３から供給される信号品質情報Ａと、同期部７から供給される同期情報Ｂとを基にして、切替信号Ｃで切替部８を制御する。
【００２２】
図２は、図１における制御部１０の一具体例を示すブロック図であって、参照符号１１は切替判定部、１２は遅延回路である。
【００２３】
図２において、切替判定部１１は、伝送路復調部３から供給される信号品質情報Ａを基にして選択すべき階層を判定し、その判定結果に応じた切替信号Ｃ’が生成されて遅延回路１２に供給される。なお、切替判定部１１は、選択すべき階層が弱階層と判定した場合は、Ｈｉｇｈレベル（以下、“Ｈ”レベルという）の切替信号Ｃ’を出力し、選択すべき階層が強階層と判定した場合は、Ｌｏｗレベル（以下、“Ｌ”レベルという）の切替信号Ｃ’を出力するものとする。
【００２４】
ここで、切替判定部１１は、例えば、信号品質情報Ａと予め定められた閾値とを比較し、信号品質情報Ａが閾値よりも大きい場合は弱階層を選択する“Ｈ”レベルの切替信号Ｃ’を出力し、信号品質情報Ａが閾値よりも小さい場合は強階層を選択する“Ｌ”レベルの切替信号Ｃ’を出力するように動作させれば良い。或いは、切替判定部１１は、第１の閾値と、第１の閾値よりも大きい第２の閾値を設け、切替信号Ｃ’が“Ｈ”レベル（弱階層を選択）を出力している時は、信号品質情報Ａと第１の閾値とを比較し、切替信号Ｃ’が“Ｌ”レベル（強階層を選択）を出力している時は、信号品質情報Ａと第２の閾値とを比較することで、ヒステリシスを持たせた階層切り替えを行っても良い。
【００２５】
また、切替判定部１１は、信号品質情報Ａとして、弱階層デコーダ５や強階層デコーダ６においてＴＳ信号を復号する際に検出される復号エラー情報を利用しても良い。なお、上記した切替判定部１１の動作は、一例として示すものであって、切替判定部１１の動作が上記動作例に限定されるものではない。
【００２６】
遅延回路１２は、切替判定部１１から供給される切替信号Ｃ’を所定の時間だけ遅延させ、切替信号Ｃ’が遅延された切替信号Ｃを切替部８に供給する。遅延回路１２での遅延時間の制御は、同期部７から供給される同期情報Ｂにより制御される。なお、切替信号Ｃが“Ｈ”レベルの場合は切替部８で弱階層が選択され、“Ｌ”レベルの場合は切替部８で強階層が選択されるものとする。
【００２７】
図３及び図４は、上記図２における遅延回路１２の切替信号Ｃの生成処理を示すタイミング図であって、図２に対応する信号には同一符号をつけている。図３（ａ）、（ｂ）、及び、図４（ａ）、（ｂ）の時間軸はそれぞれ一致しているものとする。
【００２８】
図３は、強階層番組信号が弱階層番組信号よりも再生時刻が遅れている場合の切替信号Ｃの生成処理を示すタイミング図である。図３（ａ）は、弱階層番組信号に対する強階層番組信号の再生時刻の遅れの時間変化を示すものであって、同期情報Ｂから供給される。図３（ｂ）は、切替信号Ｃ’、Ｃのタイミングを示すものである。
【００２９】
図３において、切替信号Ｃ’、Ｃが“Ｈ”レベル、即ち、切替部８で弱階層が選択されている場合は、切替判定部１１により切替信号Ｃ’が“Ｌ”レベルに変化すると、切替信号Ｃは、強階層番組信号の再生時刻の遅れτ１だけ“Ｈ”レベルを保持し、その後“Ｌ”レベルに変化する。また、切替信号Ｃ’、Ｃが“Ｌ”レベル、即ち、切替部８で強階層が選択されている場合は、切替判定部１１により切替信号Ｃ´が“Ｈ”レベルに変化すると、切替信号Ｃは、強階層番組信号の再生時刻の遅れτ２だけ“Ｌ”レベルを保持し、その後、“Ｈ”レベルに変化する。
【００３０】
一方、図４は、弱階層番組信号が強階層番組信号よりも再生時刻が遅れている場合の切替信号Ｃの生成処理を示すタイミング図である。図４（ａ）は、強階層番組信号に対する弱階層番組信号の再生時刻の遅れの時間変化を示すものである。図４（ｂ）は、切替信号Ｃ’、Ｃのタイミングを示すものである。
【００３１】
図４において、切替信号Ｃ’、Ｃが“Ｈ”レベル、即ち、切替部８で弱階層が選択されている場合は、切替判定部１１により切替信号Ｃ’が“Ｌ”レベルに変化すると、切替信号Ｃは、弱階層番組信号の再生時刻の遅れτ３に関係なく、切替信号Ｃ’が“Ｌ”レベルに変化すると同時に切替信号Ｃも“Ｌ”レベルに変化する。また、切替信号Ｃ’、Ｃが“Ｌ”レベル、即ち、切替部８で強階層が選択されている場合は、切替信号Ｃ’が“Ｈ”レベルに変化すると、切替信号Ｃは、弱階層番組信号の再生時刻の遅れτ４に関係なく、切替信号Ｃ’が“Ｈ”レベルに変化すると同時に切替信号Ｃも“Ｈ”レベルに変化する。
【００３２】
以上の動作により、強階層番組信号が弱階層番組信号よりも再生時刻が遅れている場合、信号品質情報Ａが良好な状態から悪化へ転じ、制御部１０により、弱階層が受信不可と判定されると、受信不可と判定された時点において同期部７で遅延されている復号エラーのない弱階層番組信号を全て出力端子９に出力した後、切替部８が強階層を選択するように制御される。従って、復号エラーのない弱階層番組信号をできる限り長時間、出力端子９に出力することができる。また、信号品質情報Ａが悪化状態から良好へ転じ、制御部１０により、弱階層が受信可能と判定されると、受信可能と判定された時点において同期部７で遅延されている復号エラーを含む弱階層番組信号が全て復号エラーのない弱階層番組信号に入れ替わった後、切替部８が弱階層を選択するように制御される。従って、復号エラーを含む弱階層番組信号を出力端子９に出力することがない。
【００３３】
一方、弱階層番組信号が強階層番組信号よりも再生時刻が遅れている場合、信号品質情報Ａが良好な状態から悪化へ転じ、制御部１０により、弱階層が受信不可と判定されると、即座に切替部８が強階層を選択するように制御される。弱階層番組信号は、同期部７において遅延されることなく切替部８へ供給されるため、弱階層が受信不可と判定されると、出力端子９からは即座に復号エラーを含む弱階層番組信号が出力されることとなり、従って、弱階層が受信不可と判定された時点で弱階層から強階層へ切り替えることが適切な切り替えタイミングとなる。また、信号品質情報Ａが悪化状態から良好へ転じ、制御部１０により、弱階層が受信可能と判定されると、即座に、切替部８が弱階層を選択するように制御される。弱階層番組信号は、同期部７において遅延されることなく切替部８へ供給されるため、弱階層が受信可能と判定されると、出力端子９からは即座に復号エラーのない弱階層番組信号が出力されることとなり、従って、弱階層が受信可能と判定された時点で強階層から弱階層へ切り替えることが適切な切り替えタイミングとなる。
【００３４】
以上のように、本発明の実施例１では、信号品質情報Ａと、弱階層番組信号と強階層番組信号のタイムラグを短縮する同期部７における同期処理を考慮に入れた階層切り替えを行うことにより、信号品質情報Ａのみに基づいて階層切り替えを行う場合と比較して、より適切なタイミングで弱階層と強階層を切り替えることが可能である。
【００３５】
なお、本発明の実施例１では、放送電波の受信状態が悪化し、弱階層番組信号に復号エラーが発生している場合は、同期部７における弱階層番組信号と強階層番組信号とのタイムラグの検出が困難となる場合がある。例えば図３の時刻ｔ１からｔ２間は、弱階層番組信号に復号エラーが発生しているため、強階層から弱階層に切り替える際の遅延時間τ２を検出できない場合がある。このような場合は、直前の弱階層から強階層に切り替えた時の遅延時間τ１を代用してもよい。
【００３６】
また、強階層番組信号の再生時刻が遅れている場合に、同期情報Ｂに含まれる、弱階層番組信号に対する強階層番組信号の遅延時間を示す情報として、遅延している映像のフレーム数を用いても良い。この場合、遅延回路１２は、予め取得した強階層番組信号のフレームレートと供給された遅延フレーム数から、強階層番組信号の遅延時間を算出する。
【００３７】
更に、同期情報Ｂがチャンネルごとに一定値であれば、予めチャンネルごとに同期情報を図示しないメモリに格納しておき、ユーザにより選局操作がなされると、対応するチャンネルの同期情報をメモリから読み出し、遅延回路１２に供給するような構成としても良い。
【００３８】
また、遅延回路１２がなくても、切替判定部１１に同期情報Ｂを供給し、切り替え判定のアルゴリズムに同期情報Ｂも考慮することで、同様の動作を行うことができる。
【実施例２】
【００３９】
図５は、本発明の実施例２のデジタル放送受信装置を示すブロック図であって、８１は映像切替部、８２は音声切替部、９１は映像出力端子、９２は音声出力端子、１０１は制御部、１３１、１３２はＡＶ分離部であり、図１に対応する部分には同一符号をつけて重複する説明を省略する。
【００４０】
先に、図１で示した実施例１では、弱階層デコーダ５と強階層デコーダ６から出力される弱階層番組信号、強階層番組信号は、それぞれ映像信号と音声信号を含み、選択部８でどちらか一方の番組信号が選択され、出力端子９から映像、音声信号が出力されるものであったが、この実施例２では、映像信号と音声信号が別々の切替部で切り替えられ、映像出力端子９１と音声出力端子９２に供給されるようにしたものである。
【００４１】
即ち、図５において、同期部７は、供給された弱階層番組信号と強階層番組信号との同期を取り、弱階層番組信号をＡＶ分離部１３１に、強階層番組信号をＡＶ分離部１３２に供給する。ＡＶ分離部１３１は、供給された弱階層番組信号を弱階層の映像信号Ｖｗと音声信号Ａｗに分離し、弱階層の映像信号Ｖｗを映像切替部８１に、弱階層の音声信号Ａｗを音声切替部８２に供給する。また、ＡＶ分離部１３２は、供給された強階層番組信号を強階層の映像信号Ｖｓと音声信号Ａｓに分離し、強階層の映像信号Ｖｓを映像切替部８１に、強階層の音声信号Ａｓを音声切替部８２に供給する。
【００４２】
映像切替部８１は、供給された弱階層の映像信号Ｖｗと強階層の映像信号Ｖｓのうち、いずれか一方の映像信号を選択し、映像出力端子９１から出力する。また、音声切替部８２は、供給された弱階層の音声信号Ａｗと強階層の音声信号Ａｓのうち、いずれか一方の音声信号を選択し、音声出力端子９２から出力する。制御部１０１は、伝送路復調部３から供給される信号品質情報Ａと、同期部７から供給される同期情報Ｂを元に、映像切替信号Ｄで映像切替部８１を、音声切替信号Ｅで音声切替部８２を制御する。
【００４３】
図６は、図５における制御部１０１の一具体例を示すブロック図であって、１１１は映像切替判定部、１１２は音声切替判定部、１２１、１２２は遅延回路である。
【００４４】
図６において、映像切替判定部１１１は、伝送路復調部３から供給される信号品質情報Ａを元に選択すべき階層を判定し、その判定結果に応じた映像切替信号Ｄ’が生成されて遅延回路１２１に供給される。また、音声切替判定部１１２は、伝送路復調部３から供給される信号品質情報Ａを元に選択すべき階層を判定し、その判定結果に応じた音声切替信号Ｅ’が生成されて遅延回路１２２に供給される。ここで、映像切替判定部１１１、音声切替判定部１１２は、それぞれ独立して切り替え判定のアルゴリズムを有しており、従って、映像切替信号Ｄ’と音声切替信号Ｅ’の切り替えの発生タイミングは異なる。
【００４５】
遅延回路１２１は、映像切替判定部１１１から供給される映像切替信号Ｄ’を所定の時間だけ遅延させた、映像切替信号Ｄ’が遅延された映像切替信号Ｄを映像切替部８１に供給する。また、遅延回路１２２は、音声切替判定部１１２から供給される音声切替信号Ｅ’を所定の時間だけ遅延させ、音声切替信号Ｅ’が遅延された音声切替信号Ｅを音声切替部８２に供給する。遅延回路１２１、１２２での遅延時間の制御は、同期部７から供給される同期情報Ｂにより制御される。
【００４６】
図７及び図８は、図６における遅延回路１２１の映像切替信号Ｄ、及び遅延回路１２２の音声切替信号Ｅの生成処理を示すタイミング図であって、図６に対応する信号には同一符号をつけている。図７（ａ）、（ｂ）、（ｃ）及び図８（ａ）、（ｂ）、（ｃ）の時間軸はそれぞれ一致しているものとする。
【００４７】
図７は、強階層番組信号が弱階層番組信号よりも再生時刻が遅れている場合の映像切替信号Ｄ、音声切替信号Ｅの生成処理を示すタイミング図である。図７（ａ）は、弱階層番組信号に対する強階層番組信号の再生時刻の遅れの時間変化を示すものであって、同期情報Ｂから供給される。図７（ｂ）は、映像切替信号Ｄ’、Ｄのタイミングを示すものである。図７（ｃ）は、音声切替信号Ｅ’、Ｅのタイミングを示すものである。
【００４８】
図７において、映像切替信号Ｄ’、Ｄが“Ｈ”レベル、即ち、映像切替部８１で弱階層が選択されている場合は、映像切替判定部１１１により映像切替信号Ｄ’が“Ｌ”レベルに変化すると、映像切替信号Ｄは、強階層番組信号の再生時刻の遅れτ５だけ“Ｈ”レベルを保持し、その後“Ｌ”レベルに変化する。また、映像判定情報Ｄ’、Ｄが“Ｌ”レベル、即ち、映像切替部８１で強階層が選択されている場合は、映像切替判定部１１１により映像切替信号Ｄ’が“Ｈ”レベルに変化すると、映像切替信号Ｄは、強階層番組信号の再生時刻の遅れτ７だけ“Ｌ”レベルを保持し、その後“Ｈ”レベルに変化する。
【００４９】
音声切替信号Ｅ’、Ｅが“Ｈ”レベル、即ち、音声切替部８２で弱階層が選択されている場合は、音声切替判定部１１２により音声切替信号Ｅ’が“Ｌ”レベルに変化すると、音声切替信号Ｅは、強階層番組信号の再生時刻の遅れτ６だけ“Ｈ”レベルを保持し、その後“Ｌ”レベルに変化する。また、音声判定情報Ｅ’、Ｅが“Ｌ”レベル、即ち、音声切替部８２で強階層が選択されている場合は、音声切替判定部１１２により音声切替信号Ｅ’が“Ｈ”レベルに変化すると、音声切替信号Ｅは、強階層番組信号の再生時刻の遅れτ８だけ“Ｌ”レベルを保持し、その後“Ｈ”レベルに変化する。
【００５０】
一方、図８は、弱階層番組信号が強階層番組信号よりも再生時刻が遅れている場合の映像切替信号Ｄ、音声切替信号Ｅの生成処理を示すタイミング図である。図８（ａ）は、強階層番組信号に対する弱階層番組信号の再生時刻の遅れの時間変化を示すものである。図８（ｂ）は、映像切替信号Ｄ’、Ｄのタイミングを示すものである。図８（ｃ）は、音声切替信号Ｅ’、Ｅのタイミングを示すものである。
【００５１】
図８において、映像切替信号Ｄ’、Ｄが“Ｈ”レベル、即ち、切替部８で弱階層が選択されている場合は、映像切替判定部１１１により映像切替信号Ｄ’が“Ｌ”レベルに変化すると、映像切替信号Ｄは、弱階層番組信号の再生時刻の遅れτ９に関係なく、映像切替信号Ｄ’が“Ｌ”レベルに変化すると同時に映像切替信号Ｄも“Ｌ”レベルに変化する。また、映像切替信号Ｄ’、Ｄが“Ｌ”レベル、即ち、切替部８で強階層が選択されている場合は、映像切替判定部１１１により映像切替信号Ｄ’が“Ｈ”レベルに変化すると、映像切替信号Ｄは、弱階層番組信号の再生時刻の遅れτ１１に関係なく、映像切替信号Ｄ’が“Ｈ”レベルに変化すると同時に映像切替信号Ｄも“Ｈ”レベルに変化する。
【００５２】
音声切替信号Ｅ’、Ｅが“Ｈ”レベル、即ち、切替部８で弱階層が選択されている場合は、音声切替判定部１１２により音声切替信号Ｅ’が“Ｌ”レベルに変化すると、音声切替信号Ｅは、弱階層番組信号の再生時刻の遅れτ１０に関係なく、音声切替信号Ｅ’が“Ｌ”レベルに変化すると同時に音声切替信号Ｅも“Ｌ”レベルに変化する。また、音声切替信号Ｅ’、Ｅが“Ｌ”レベル、即ち、切替部８で強階層が選択されている場合は、音声切替判定部１１２により音声切替信号Ｅ’が“Ｈ”レベルに変化すると、音声切替信号Ｅは、弱階層番組信号の再生時刻の遅れτ１２に関係なく、音声切替信号Ｅ’が“Ｈ”レベルに変化すると同時に音声切替信号Ｅも“Ｈ”レベルに変化する。
【００５３】
以上のように、発明の実施例２では、弱階層と強階層の切り替えを映像信号と音声信号とで独立に行うことができる。従って、例えば、映像信号は弱階層を優先的に受信し、音声信号は強階層を優先的に受信したい場合など、映像信号と音声信号とで切り替え条件を変更したい場合に、本発明の実施例２は有効である。
【００５４】
なお、本発明の実施例２では、放送電波の受信状態が悪化し、弱階層番組信号に復号エラーが発生している場合は、同期部７における弱階層番組信号と強階層番組信号とのタイムラグの検出が困難となる場合がある。例えば、映像信号を強階層から弱階層に切り替える際の遅延時間τ７を検出できない場合は、直前の弱階層から強階層に切り替えた時の遅延時間τ５を代用してもよい。
【００５５】
また、強階層番組信号の再生時刻が遅れている場合に、同期情報Ｂに含まれている弱階層番組信号に対する強階層番組信号の遅延時間を示す情報として、遅延している映像のフレーム数を用いても良い。この場合、遅延回路１２は、予め取得した強階層番組信号のフレームレートと供給された遅延フレーム数から、強階層番組信号の遅延時間を算出する。
【００５６】
更に、同期情報Ｂがチャンネルごとに一定値であれば、予めチャンネルごとに同期情報を図示しないメモリに格納しておき、ユーザにより選局操作がなされると、対応するチャンネルの同期情報をメモリから読み出し、遅延回路１２に供給するような構成としても良い。
【００５７】
また、遅延回路１２１、１２２がなくても、映像切替判定部１１１、音声切替判定部１１２に同期情報Ｂを供給し、切り替えアルゴリズムに同期情報Ｂを考慮することで、同様の動作を行うことができる。
【図面の簡単な説明】
【００５８】
【図１】本発明の実施例１になるデジタル放送受信装置の概略構成を示すブロック図である。
【図２】上記図１における制御部１０の一具体例を示すブロック図である。
【図３】上記図２における遅延回路１２の動作例を示すタイミング図である。
【図４】上記図２における遅延回路１２の動作例を示すタイミング図である。
【図５】本発明の実施例２になるデジタル放送受信装置の概略構成を示すブロック図である。
【図６】上記図５における制御部１０１の一具体例を示すブロック図である。
【図７】上記図６における遅延回路１２１、１２２の動作例を示すタイミング図である。
【図８】上記図６における遅延回路１２１、１２２の動作例を示すタイミング図である。
【符号の説明】
【００５９】
１…アンテナ部
２…選局部
３…伝送路復調部
４…ＴＳ分離部
５…弱階層デコーダ
６…強階層デコーダ
７…同期部
８、８１、８２…切替部
９、９１、９２…出力端子
１０、１０１…制御部
１１、１１１、１１２…切替判定部
１２、１２１、１２２…遅延回路
１３１、１３２…ＡＶ分離部
【図１】
2008166933.tif 000003
【図２】
2008166933.tif 000004
【図３】
2008166933.tif 000005
【図４】
2008166933.tif 000006
【図５】
2008166933.tif 000007
【図６】
2008166933.tif 000008
【図７】
2008166933.tif 000009
【図８】
2008166933.tif 000010